(57)【要約】【課題】抜止位置の回動操作部材に対する誤操作を防止することが可能な遊技機の提供を目的とする。【解決手段】本発明のパチンコ遊技機１０は、回動操作レバー１２０がロック位置に位置決めされたとき、目視ストッパ１４０が回動操作レバー１２０のロック操作方向の前方に隣接位置されている。詳細には、回動操作レバー１２０における第１壁部１２２Ａの壁面に対して側方から目視ストッパ１４０が直角に突き合わされ、回動操作レバー１２０が仮にロック位置を越えて回動したとしても、目視ストッパ１４０が第１壁部１２２Ａと干渉し得るようになっている。従って、ロック位置の回動操作レバー１２０をアンロック位置に切り替える際に、目視ストッパ１４０と干渉する方向、即ち、ロック位置の回動操作レバー１２０を誤った操作方向に操作することが防止される。【選択図】図６
2011115213.tif 000002
【特許請求の範囲】
【請求項１】
前面に遊技領域を有する遊技盤と、
前記遊技盤を受容した遊技盤受容部を有する本体枠と、
前記本体枠のうち前記遊技盤受容部の縁部に設けられ、前記遊技盤受容部に前記遊技盤を抜け止めする抜止位置と、前記遊技盤受容部から前記遊技盤を抜き取り可能とする抜取許容位置との間で往復回動可能な回動操作部材と、を備えた遊技機において、
前記回動操作部材を前記抜取許容位置から前記抜止位置に回動したときに前記回動操作部材と当接して、前記回動操作部材を前記抜止位置に位置決め可能な抜止側ストッパと、
前記抜止位置に位置した前記回動操作部材に突き合わされかつその回動操作部材と干渉しない位置に配置され、前記回動操作部材が仮に前記抜止位置を越えて回動したときに干渉し得る目視ストッパとを備え、
前記回動操作部材を前記抜止位置に向けて回動させた場合に、前記回動操作部材が前記目視ストッパに当接する前に前記抜止側ストッパによって前記回動操作部材の回動が規制されることを特徴とする遊技機。
【請求項２】
前記回動操作部材は、前記遊技盤の前面と平行な平板部と、前記平板部から前記本体枠に向かって突出した回動規制突部とを備え、
前記抜止位置において前記回動規制突部が前記抜止側ストッパとしての前記遊技盤の縁部又は前記本体枠に立設された壁部に当接するようにしたことを特徴とする請求項１に記載の遊技機。
【請求項３】
前記回動操作部材は、前記平板部から前記本体枠とは反対側に突出した操作摘みを有し、前記抜止位置にした場合に前記操作摘みの側方から前記目視ストッパが突き合わされるようにしたことを特徴とする請求項２に記載の遊技機。
【請求項４】
前記目視ストッパを前記遊技盤に設けたことを特徴とする請求項１乃至３の何れか１項に記載の遊技機。
【請求項５】
前記回動操作部材は、前記本体枠の前面に直交する軸回りに回動可能に軸支されて、前記抜止位置で前記遊技盤に係止する一方、前記抜取許容位置で前記遊技盤の側方に退避するように構成されたことを特徴とする請求項１乃至４の何れか１項に記載の遊技機。
【請求項６】
前記目視ストッパは、前記遊技盤に敷設されて、前記遊技盤のうち前記目視ストッパの近辺及び前記回動操作部材とは異なる色になっていることを特徴とする請求項１乃至５の何れか１項に記載の遊技機。
【請求項７】
前記目視ストッパは前記遊技盤受容部の縁部に沿って延びた帯状をなし、
前記遊技盤の前面には、前記目視ストッパの幅方向における側方位置に、引抜用突部が突出形成されると共に、
前記引抜用突部のうち前記目視ストッパとの対向面には、前記遊技盤の取り外し操作を容易にするための側部開口溝が形成され、
前記目視ストッパは、前記側部開口溝に接近するに従って前記遊技盤の前面に接近した傾斜面を備えたことを特徴とする請求項１乃至６の何れか１項に記載の遊技機。
【請求項８】
前記引抜用突部は、前記目視ストッパと平行かつ前記目視ストッパよりも長く延び、
前記回動操作部材を前記抜止位置から前記抜取許容位置にした場合に、前記回動操作部材が前記側部開口溝から遠ざかってその側部開口溝の側方のスペースが拡大されるようにする一方、
前記回動操作部材を前記抜取許容位置から前記抜止位置にした場合に、前記回動動作部材が前記側部開口溝に隣接配置されてその側部開口溝の側方のスペースが縮小されるようにしたことを特徴とする請求項７に記載の遊技機。
【発明の詳細な説明】
【技術分野】
【０００１】
本発明は、本体枠に備えた遊技盤受容部に遊技盤を受容した遊技機に関する。
【背景技術】
【０００２】
従来より、この種の遊技機として、遊技盤受容部の縁部に回動操作部材を備え、その回動操作部材により遊技盤を遊技盤受容部に抜け止め可能としたものが知られている。この回動操作部材は、ストッパとの当接により所定の可動範囲でのみ回動可能となっており、可動範囲の一端の抜止位置で遊技盤受容部に遊技盤を抜け止めし、可動範囲の他端の抜取許容位置で遊技盤の抜き取りを許容するように構成されていた（例えば、特許文献１を参照）。
【先行技術文献】
【特許文献】
【０００３】
【特許文献１】特開２００８−２８９５４１号公報（段落［００２７］、［００３５］、第１２図）
【発明の概要】
【発明が解決しようとする課題】
【０００４】
ところが、上述した従来の遊技機では、回動操作部材が、任意の方向に３６０度回転可能なように見えるため、不慣れな作業者は、抜止位置に位置する回動操作部材を正規の操作方向とは逆方向に誤操作してしまうことがあった。そして、この誤操作により、遊技盤の抜き取り作業が遅延したり、回動操作部材とストッパとの当接部分に過大な負荷がかかって破損する虞があった。
【０００５】
本発明は、上記事情に鑑みてなされたもので、抜止位置の回動操作部材に対する誤操作を防止することが可能な遊技機の提供を目的とする。
【課題を解決するための手段】
【０００６】
上記目的を達成するためになされた請求項１の発明に係る遊技機は、前面に遊技領域を有する遊技盤と、遊技盤を受容した遊技盤受容部を有する本体枠と、本体枠のうち遊技盤受容部の縁部に設けられ、遊技盤受容部に遊技盤を抜け止めする抜止位置と、遊技盤受容部から遊技盤を抜き取り可能とする抜取許容位置との間で往復回動可能な回動操作部材と、を備えた遊技機において、回動操作部材を抜取許容位置から抜止位置に回動したときに回動操作部材と当接して、回動操作部材を抜止位置に位置決め可能な抜止側ストッパと、抜止位置に位置した回動操作部材に突き合わされかつその回動操作部材と干渉しない位置に配置され、回動操作部材が仮に抜止位置を越えて回動したときに干渉し得る目視ストッパとを備え、回動操作部材を抜止位置に向けて回動させた場合に、回動操作部材が目視ストッパに当接する前に抜止側ストッパによって回動操作部材の回動が規制されるところに特徴を有する。
【０００７】
請求項２の発明は、請求項１に記載の遊技機において、回動操作部材は、遊技盤の前面と平行な平板部と、平板部から本体枠に向かって突出した回動規制突部とを備え、抜止位置において回動規制突部が抜止側ストッパとしての遊技盤の縁部又は本体枠に立設された壁部に当接するようにしたところに特徴を有する。
【０００８】
請求項３の発明は、請求項２に記載の遊技機において、回動操作部材は、平板部から本体枠とは反対側に突出した操作摘みを有し、抜止位置にした場合に操作摘みの側方から目視ストッパが突き合わされるようにしたところに特徴を有する。
【０００９】
請求項４の発明は、請求項１乃至３の何れか１項に記載の遊技機において、目視ストッパを遊技盤に設けたところに特徴を有する。
【００１０】
請求項５の発明は、請求項１乃至４の何れか１項に記載の遊技機において、回動操作部材は、本体枠の前面に直交する軸回りに回動可能に軸支されて、抜止位置で遊技盤に係止する一方、抜取許容位置で遊技盤の側方に退避するように構成されたところに特徴を有する。
【００１１】
請求項６の発明は、請求項１乃至５の何れか１項に記載の遊技機において、目視ストッパは、遊技盤に敷設されて、遊技盤のうち目視ストッパの近辺及び回動操作部材とは異なる色になっているところに特徴を有する。
【００１２】
請求項７の発明は、請求項１乃至６の何れか１項に記載の遊技機において、目視ストッパは遊技盤受容部の縁部に沿って延びた帯状をなし、遊技盤の前面には、目視ストッパの幅方向における側方位置に、引抜用突部が突出形成されると共に、引抜用突部のうち目視ストッパとの対向面には、遊技盤の取り外し操作を容易にするための側部開口溝が形成され、目視ストッパは、側部開口溝に接近するに従って遊技盤の前面に接近した傾斜面を備えたところに特徴を有する。
【００１３】
請求項８の発明は、請求項７に記載の遊技機において、引抜用突部は、目視ストッパと平行かつ目視ストッパよりも長く延び、回動操作部材を抜止位置から抜取許容位置にした場合に、回動操作部材が引抜用突部の側部開口溝から遠ざかってその側部開口溝の側方のスペースが拡大されるようにする一方、回動操作部材を抜取許容位置から抜止位置にした場合に、回動動作部材が引抜用突部の側部開口溝に隣接配置されてその側部開口溝の側方のスペースが縮小されるようにしたところに特徴を有する。
【発明の効果】
【００１４】
［請求項１の発明］
請求項１の発明によれば、抜止位置に位置する回動操作部材が、仮に、抜止位置を越えて回動したとしても、目視ストッパに干渉して抜取許容位置にすることができないという認識を作業者に持たせることができ、目視ストッパと干渉する方向への回動操作、即ち、抜止位置の回動操作部材に対する誤操作を防止することができる。これにより、遊技盤の抜き取り作業が捗ると共に、抜止側ストッパ及び回動操作部材の破損を防止することができる。
【００１５】
ここで、仮に、回動操作部材が目視ストッパに当接することで抜止位置に位置決めされるようにした場合、目視ストッパは、相応の強度、形状精度及び位置精度が必要になり、設計上の制約を受ける。これに対し、本発明では、回動操作部材を抜止位置に向けて回動させた場合に、回動操作部材が目視ストッパに当接する前に抜止側ストッパによって回動操作部材の回動が規制される。即ち、回動操作部材は抜止側ストッパと当接することで位置決めされ、目視ストッパにて回動操作部材を位置決めする構成ではないので、上述した制約を受けずに比較的自由に目視ストッパを設計することができる。例えば、目視ストッパを弾性体や紙で構成してもよいし、電気素子（具体的には、回路基板や発光素子など）で構成してもよい。
【００１６】
［請求項２の発明］
請求項２の発明によれば、回動操作部材は、平板部を挟んで操作摘みとは反対側に設けられた回動規制壁が、抜止側ストッパとしての遊技盤の縁部又は本体枠に立設された壁部と当接することで抜止位置に位置決めされるので、操作摘みを摘んだ指先を、回動操作部材と抜止側ストッパとの間に挟むことを防止することができる。
【００１７】
［請求項３の発明］
請求項３の発明によれば、操作摘みを備えたことで、回動操作部材の操作が容易になる。また、抜止位置にした場合に、回動操作部材の平板部から突出した操作摘みに目視ストッパを突き合わせるようにしたことで、回動操作部材が仮に、抜止位置を越えて回動したとしてもに目視ストッパが干渉し得るということを、より明瞭に分かり易くすることができる。
【００１８】
［請求項４の発明］
請求項４の発明によれば、目視ストッパが遊技盤に設けられたので、既存の遊技機の遊技盤を、目視ストッパを備えた遊技盤に取り替えることで、本発明の効果を奏する遊技機に変更することができ、既存の本体枠を流用（共通使用）することができる。
【００１９】
［請求項５の発明］
請求項５の発明によれば、回動操作部材を本体枠の前面に直交する軸回りで回動操作することで、抜止位置と抜取許容位置とに切り替えることができる。
【００２０】
［請求項６の発明］
請求項６の発明によれば、目視ストッパの存在を、周囲との色の相違によって明瞭にすることができ、抜止位置の回動操作部材に対する誤操作をより確実に防止することが可能になる。
【００２１】
［請求項７の発明］
請求項７の発明によれば、遊技盤を本体枠から抜き取る場合、引抜用突部に形成された側部開口溝に、例えば、指先やツールを係止（又は挿入）すると、抜き取り操作を容易に行うことができる。ここで、側部開口溝は目視ストッパとの対向面に設けられており、目視ストッパには側部開口溝に接近するに従って遊技盤の前面に接近した傾斜面が備えられているので、側部開口溝に指先又はツールを係止（又は挿入）する際に、それらが目視ストッパに当接し難くなっている。また、指先又はツールが前記傾斜面に当接した場合には、それらを側部開口溝内に案内することができる。
【００２２】
［請求項８の発明］
請求項８の発明によれば、回動操作部材を抜止位置にした場合に、回動動作部材が引抜用突部の側部開口溝に隣接配置されてその側部開口溝の側方のスペースが縮小されることで、側部開口溝に対する指先やツールの係止（又は挿入）が規制又は困難な状態になり、回動操作部材が抜止位置であることを作業者に気付かせることができる。これにより、回動操作部材が遊技盤を抜け止めした状態で、遊技盤を遊技盤受容部から抜き取ろうとする行為を防止することができる。
【図面の簡単な説明】
【００２３】
【図１】本発明の一実施形態に係るパチンコ遊技機の正面図
【図２】前面枠を開いたパチンコ遊技機を斜め上方から見た斜視図
【図３】前面枠を開いたパチンコ遊技機の正面図
【図４】内枠及び外枠の正面図
【図５】（Ａ）遊技盤の斜視図、（Ｂ）遊技盤の部分拡大図
【図６】（Ａ）ロック位置における回動操作レバーの正面図、（Ｂ）アンロック位置における回動操作レバーの正面図
【図７】ロック位置における回動操作レバーの（Ａ）斜視図、（Ｂ）部分拡大図
【図８】アンロック位置における回動操作レバーの（Ａ）斜視図、（Ｂ）部分拡大図
【図９】回動操作レバーを表面側から見た（Ａ）分解斜視図、（Ｂ）斜視図
【図１０】回動操作レバーを裏面側から見た（Ａ）分解斜視図、（Ｂ）斜視図
【図１１】変形例に係る（Ａ）ロック位置における回動操作レバーの正面図、（Ｂ）アンロック位置における回動操作レバーの正面図
【発明を実施するための形態】
【００２４】
以下、本発明を適用したパチンコ遊技機１０に係る一実施形態を、図１〜図１０に基づいて説明する。図１に示すように、パチンコ遊技機１０の遊技盤１１のうち、遊技者と対向する前面には、ガイドレール１２で囲まれた遊技領域Ｒ１が設けられ、その遊技領域Ｒ１が、ガラス窓９５Ｗ（図２及び図３参照）を通して視認可能となっている。
【００２５】
遊技領域Ｒ１のほぼ中央部には、表示装置１３が設けられ、表示装置１３の下方には、上始動入賞口１４Ａ、下始動入賞口１４Ｂ、大入賞口１５及びアウト口１６が、上から順に間隔を開けて並べて設けられている。遊技領域Ｒ１のうち、表示装置１３の左側方には始動ゲート１８と風車１７とが備えられ、始動入賞口１４Ａ，１４Ｂの左右両側には、一般入賞口２０、２１がガイドレール１２に沿って設けられている。さらに、これら入賞口以外に、遊技領域Ｒ１には図示しない複数の釘が起立している。
【００２６】
パチンコ遊技機１０の前面のうち、ガラス窓９５Ｗの上部及び両側部には装飾ランプ９７が設けられており、上端両角部にはスピーカ９８，９８が設けられている。これら装飾ランプ９７及び各スピーカ９８は、パチンコ遊技機１０の前面側に膨出している。
【００２７】
ガラス窓９５Ｗの下方には、上皿２６及び下皿２７が上下２段にして設けられている。これら上皿２６及び下皿２７は、スピーカ９８，９８と同様にパチンコ遊技機１０の前方に膨出している。パチンコ遊技機１０の前面における右下角部には、操作ノブ２８が備えられている。この操作ノブ２８を操作すると、上皿２６に貯留された遊技球が、順次、遊技領域Ｒ１に向けて弾き出される。その遊技球が遊技領域Ｒ１を流下する途中で上記した各入賞口１４Ａ，１４Ｂ，１５，２０，２１に入球すると、賞球として所定数の遊技球が上皿２６に払い出される。なお、上皿２６が満杯の場合は下皿２７に払い出される。
【００２８】
上皿２６に備えた球移動ボタン（図示せず）を押すと、上皿２６から下皿２７に遊技球が移動する。また、上皿２６には、球移動ボタンの他に、遊技に使用するための遊技ボタン３０，３０が備えられている（図２参照）。
【００２９】
以下、遊技盤１１の前面に備えた表示装置１３等について詳説する。表示装置１３は、液晶モジュール（詳細には、ＴＦＴ−ＬＣＤモジュール）で構成され、遊技盤１１の中央部に貫通形成された表示取付孔（図示せず）に対し、遊技盤１１の後面側から取り付けられている。また表示取付孔には、遊技盤１１の前面側から枠形構造の装飾枠２３が取り付けられ、その装飾枠２３によって表示装置１３の周囲が囲まれている。
【００３０】
始動ゲート１８は、遊技球が潜って通過可能な門形構造をなし、通過した遊技球は、その始動ゲート１８に内蔵したゲートスイッチ（図示せず）によって検出される。この検出信号に基づいて、普通図柄表示部３８の普通図柄が変動表示される。
【００３１】
普通図柄表示部３８は風車１７の下方に設けられている。普通図柄表示部３８は、普通図柄としての２桁の数字を表示可能な７セグメントＬＥＤ表示器で構成されている。
【００３２】
始動ゲート１８を遊技球が通過すると、普通図柄表示部３８は普通図柄を所定期間に亘って変動表示した後、停止表示する。例えば、停止表示された普通図柄が同じ（ゾロ目）の場合には、後述する下始動入賞口１４Ｂが開放状態になって、遊技球が入賞し易い状態になる。また、普通図柄表示部３８が変動表示している間に始動ゲート１８を通過した遊技球は、所定数（例えば、４つ）まで累積カウントされる。この累積カウント数（保留数）は、図示しない保留数用のＬＥＤの点灯数によって遊技者に報知される。
【００３３】
上下の各始動入賞口１４Ａ，１４Ｂは、所謂、ポケット構造をなして上方に向かって開口している。各始動入賞口１４Ａ，１４Ｂに入った遊技球は、遊技盤１１に設けた図示しない貫通孔を通って、遊技盤１１の裏側に回収される。
【００３４】
上側に配置された上始動入賞口１４Ａの上面開口は遊技球を１つずつ受け入れ可能な大きさになっている。下側に配置された下始動入賞口１４Ｂは、上始動入賞口１４Ａの真下に配置されている。下始動入賞口１４Ｂの開口幅も、遊技球を１つずつ受け入れ可能な大きさになっている。下始動入賞口１４Ｂの上面開口の左右両側には可動翼１４Ｃ，１４Ｃが備えられている。これら両可動翼１４Ｃ，１４Ｃは、常には起立状態になっており、このとき、下始動入賞口１４Ｂへの遊技球の入賞が禁止される。
【００３５】
これに対し、普通図柄表示部３８にて普通図柄がゾロ目で停止表示すると、下始動入賞口１４Ｂが開放状態となる。即ち、遊技盤１１の裏に設けたソレノイド（図示せず）により、下始動入賞口１４Ｂに備えた可動翼１４Ｃ，１４Ｃが所定期間（例えば、０．５秒間）に亘って左右に倒される。可動翼１４Ｃ，１４Ｃが左右に倒れると、下始動入賞口１４Ｂが開放状態となり、その倒れた可動翼１４Ｃ，１４Ｃに案内されて遊技球が下始動入賞口１４Ｂに入賞可能となる。
【００３６】
上下の始動入賞口１４Ａ，１４Ｂの何れかに遊技球が入賞すると、各始動入賞口１４Ａ，１４Ｂ内に設けたセンサがその遊技球を検出し、その検出信号に基づいて、予め定められた所定数（例えば、１個の入賞につき５個）の遊技球（賞球）が上皿２６に払い出される。また、各始動入賞口１４Ａ，１４Ｂに遊技球が入賞すると、「大当たり遊技」を行うか否かを決定する当否判定の権利が発生し、その当否判定結果が表示装置１３によって遊技者に報知される。
【００３７】
具体的には、表示装置１３には、通常、３つの左、中、右の特別図柄（図示せず）が横並びに表示されている。これら各特別図柄は、例えば、「０」〜「９」の数字を表記した複数種類のもので構成されており、通常は、各特別図柄ごと、所定の種類のものが停止表示されている。そして、両始動入賞口１４Ａ，１４Ｂの何れかに遊技球が入賞したときに、これら３つの特別図柄が、変動表示（上下方向にスクロール表示）され、所定時間後に、各特別図柄が１つずつ順番に停止表示される。このとき、例えば、全ての特別図柄が同じ図柄（ゾロ目）になった場合に、遊技が「通常遊技」から「大当たり遊技」に移行する。
【００３８】
ここで、表示装置１３にて特別図柄が変動表示している最中又は「大当たり遊技」の最中に各始動入賞口１４Ａ，１４Ｂに入賞した遊技球の数は、所定の限度数まで累積カウント（保留）され、特別図柄が外れの図柄組み合わせで停止表示されるか、「大当たり遊技」が終了すると、その保留記憶に基づいて再び、特別図柄の変動表示が開始される。なお、累積カウント数（保留数）は、図示しない保留数用のＬＥＤの点灯数によって遊技者に報知される。
【００３９】
大入賞口１５は、遊技盤１１の前面に開放して横長形状をなしており、常には、可動扉１５Ｔにて閉塞されている。そして、上記したように特別図柄がゾロ目で停止表示した場合に、可動扉１５Ｔが前側に倒れて大入賞口１５が開放し、可動扉１５Ｔをガイドにして大入賞口１５に遊技球が入賞可能になる。大入賞口１５に遊技球が入賞すると予め定められた所定数（例えば、１個の入賞につき１５個）の遊技球（賞球）が上皿２６に払い出される。なお、大入賞口１５に入った遊技球は、遊技盤１１に設けた図示しない貫通孔を通って、遊技盤１１の裏側に回収される。以上が、遊技盤１１の前面に備えた表示装置１３等に関する説明である。
【００４０】
図２に示すように、本実施形態のパチンコ遊技機１０は、一般のものと同様に、遊技ホールの遊技島に固定される外枠８２、外枠８２の内側に嵌合された内枠７５、内枠７５に着脱自在に装着された遊技盤１１及び内枠７５の前面を覆った前面枠９５とで構成されている。なお、内枠７５は本発明の「本体枠」に相当する。
【００４１】
外枠８２は、木製の長板を縦長矩形状に接合した構造をなしている。外枠８２のうち、パチンコ遊技機１０の正面視左側の側辺の外側面には、図示しないプリペイドカードユニットが取り付けられている。また、同じく左側辺には内枠７５が回動可能に連結されている。
【００４２】
内枠７５は、外枠８２の前面開口に対応した矩形構造をなしている。内枠７５のうち外枠８２に対する回動中心とは反対側の右側辺には、外枠用係止具（図示せず）が備えられており、その外枠用係止具が外枠８２に備えた係止片（図示せず）と係止することで、図２に示すように内枠７５を外枠８２の内側に嵌め込んだ状態で施錠することができる。また、内枠７５の前面における右側辺には、前面枠用係止具７４，７４が設けられている（図４参照）。
【００４３】
前面枠９５は内枠７５に対して回動可能に取り付けられている。具体的には、前面枠９５における左側辺が内枠７５の左側辺に回動可能に連結され、内枠７５及び遊技盤１１の前面を覆った閉止状態（図１に示す状態）と、内枠７５及び遊技盤１１の前面を開放した開放状態（図２及び図３に示す状態）とにすることが可能となっている。
【００４４】
前面枠９５の中央部には、遊技盤１１の遊技領域Ｒ１に対応した開口部が形成され、その開口部がガラス板で塞がれてガラス窓９５Ｗが構成されている。
【００４５】
図２に示すように前面枠９５の後面（内枠７５との対向面）には、ガラス窓９５Ｗを囲むように複数の金属補強板９４が敷設されている。これら金属補強板９４のうち、内枠７５に対する回動中心とは反対側の右側辺に沿って延びた金属補強板９４には、上下１対の係止片９４Ａ，９４Ａが形成されている。その係止片９４Ａ，９４Ａが内枠７５に備えた前面枠用係止具７４，７４と係止することで、前面枠９５を内枠７５に対して閉止状態に施錠することができる。
【００４６】
ここで、内枠７５の前面に設けられた鍵孔７２に鍵を挿して左に回動操作すると、内枠７５に備えた前面枠用係止具７４，７４が作動し、前面枠９５と内枠７５との施錠が解除される。また、鍵を右に回動操作すると、内枠７５に備えた外枠用係止具（図示せず）が作動し、内枠７５と外枠８２との施錠が解除される。
【００４７】
図５に示すように、遊技盤１１は、縦長略長方形をなした木製の盤本体１１Ａにおける上辺の両角部を斜めにカットすると共に、その前面に各種部品を組み付けて構成されている。即ち、盤本体１１Ａの前面には、遊技の演出内容に応じたセル画が貼り付けられると共に、ガイドレール１２が立設されている。ガイドレール１２の内側（遊技領域Ｒ１）には、図１に示すように装飾枠２３、各入賞口１４Ａ，１４Ｂ，１５，２０，２１等が取り付けられており、ガイドレール１２（遊技領域Ｒ１）の外側領域の略全体には、図５（Ａ）に示すように扁平な樹脂部材１１０が敷設されている。なお、遊技盤１１の後面には、図示しない複数の制御基板が取り付けられており、これら各制御基板によって、表示装置１３における表示画像、スピーカ９８の出力、装飾ランプ９７の点灯、可動翼１４Ｃ，１４Ｃの開閉動作、遊技の当否確率の変更等の制御が行われている。
【００４８】
遊技盤１１の前面における上辺両角部には、内枠７５に対する遊技盤１１の着脱作業の際に、両手の指先を掛けることが可能な左取っ手１１１及び右取っ手１１２が備えられている。左取っ手１１１は、遊技盤１１を板厚方向に貫通した長孔形状をなしており、複数本（例えば、２〜３本）の指先を挿入して係止可能になっている。なお、左取っ手１１１のうち盤本体１１Ａを貫通した部分は樹脂部材１１０によって覆われている。
【００４９】
一方、右取っ手１１２は、遊技盤１１を構成する樹脂部材１１０に一体成形されている。具体的には、例えば、図５（Ｂ）に示すように、遊技盤１１の前面側に膨出しかつ遊技領域Ｒ１とは反対側、即ち、右斜め上方に向かって開放した袋構造をなしている。そして、この右取っ手１１２に陥没形成された指先係止溝１１２Ａ（本発明の「側部開口溝」に相当する）には、複数本程度（例えば２本）の指先を係止することが可能となっている。ここで、遊技盤１１の前面のうち指先係止溝１１２Ａの開放口が向いた方向には、樹脂部材１１０が敷設されておらず、盤本体１１Ａが露出した開放領域Ｒ２となっている。開放領域Ｒ２は、右取っ手１１２（指先係止溝１１２Ａ）に指先を掛けたときや、後述する回動操作レバー１２０を操作するときに、指先が樹脂部材１１０に当たり難くするために設けられている。なお、右取っ手１１２は、本発明の「引抜用突部」に相当する。
【００５０】
図４に示すように、内枠７５の中央部には、遊技盤１１を嵌め込んで固定するための遊技盤受容部７７が設けられている。遊技盤受容部７７は、遊技盤１１の形状に対応した縦長略長方形の枠形構造をなしており、内枠７５を前後方向に貫通している。遊技盤受容部７７のうち後面側の開口縁からは、遊技盤受容部７７の内側に向かって後面係止壁７７Ａが張り出している。遊技盤１１は遊技盤受容部７７の前面側の開口から挿抜可能となっており、遊技盤受容部７７に嵌め込まれた遊技盤１１の後面が後面係止壁７７Ａに係止されている。なお、後面係止壁７７Ａは板金で構成されている。
【００５１】
後面係止壁７７Ａからは、遊技盤受容部７７の前面開口に向かって複数の位置決突部７７Ｂが起立している。遊技盤受容部７７に遊技盤１１を受容させると、各位置決突部７７Ｂが遊技盤１１の後面に形成された位置決孔部（図示せず）に突入する。これら位置決突部７７Ｂと位置決孔部の嵌合により、遊技盤受容部７７内における遊技盤１１の上下左右の移動が規制されている。
【００５２】
さらに、遊技盤受容部７７に受容された遊技盤１１は、以下に説明する固定構造により、遊技盤受容部７７に抜け止めされている。
【００５３】
図４に示すように、遊技盤受容部７７の左側辺には、１対の抜止金具１３０，１３０が設けられている。抜止金具１３０，１３０は遊技盤受容部７７の上辺寄り位置と下辺寄り位置とに配設されており、それぞれ遊技盤受容部７７の囲壁から内側に突出しかつ上下方向に延びている。遊技盤受容部７７に受容された遊技盤１１は、その板厚方向で抜止金具１３０，１３０と後面係止壁７７Ａとの間に挟まれて抜け止めされる（図２参照）。
【００５４】
遊技盤受容部７７における下辺側の開口縁には、傾動操作レバー１００が設けられている。傾動操作レバー１００は、遊技盤受容部７７の下辺の右端寄り部分を深溝形に陥没させたレバー受容部７３に受容されている。傾動操作レバー１００は遊技盤１１と平行な（図４における左右方向に延びた）水平軸を中心にして前後方向に回動し、前傾したアンロック位置（図４参照）と起立したロック位置（図３参照）との間で往復動可能となっている。そして、傾動操作レバー１００をアンロック位置にしてから遊技盤受容部７７に遊技盤１１を嵌め込んでロック位置にすることで傾動操作レバー１００の上端部が遊技盤受容部７７の内側に突出し、傾動操作レバー１００と内枠７５の後面係止壁７７Ａとの間に遊技盤１１が板厚方向で挟持される。また、ロック位置の傾動操作レバー１００を手前側に倒してアンロック位置にすると、傾動操作レバー１００が遊技盤受容部７７の外側に退避し、傾動操作レバー１００による遊技盤１１の抜け止めが解除される。
【００５５】
なお、遊技盤１１の左側辺を抜止金具１３０，１３０に係止させた状態で遊技盤１１の右側辺を遊技盤受容部７７に押し込むと、遊技盤１１の後面に押されて傾動操作レバー１００はアンロック位置からロック位置へと切り替わる。また、傾動操作レバー１００は、ロック位置からアンロック位置へと切り替わる動作の過程で遊技盤１１を後ろから押して遊技盤１１の右側部を遊技盤受容部７７の前方に押し出すようになっている。
【００５６】
遊技盤受容部７７における右上角部の開口縁には、本発明の「回動操作部材」に相当する回動操作レバー１２０が備えられている。回動操作レバー１２０は、内枠７５の前面と直交する（内枠７５の前後方向に延びた）軸回りに回動可能となっている。また、回動操作レバー１２０は、図６（Ａ）に示すロック位置（本発明の「抜止位置」に相当する）と、そのロック位置から時計回り方向に約９０度回動した同図（Ｂ）に示すアンロック位置（本発明の「抜取許容位置」に相当する）とを両端とする可動範囲でのみ往復回動可能となっている。そして、回動操作レバー１２０をアンロック位置にして遊技盤１１を遊技盤受容部７７に嵌め込んでから、ロック位置にすると、回動操作レバー１２０の一部が遊技盤受容部７７の囲壁７７Ｈから内側に突出して、遊技盤１１の右上角部、より詳細には、右取っ手１１２の側方に露出した盤本体１１Ａが、回動操作レバー１２０と内枠７５の後面係止壁７７Ａとの間に挟持される。また、回動操作レバー１２０をロック位置からアンロック位置にすると、回動操作レバー１２０が遊技盤受容部７７の囲壁７７Ｈの外側に退避して、回動操作レバー１２０による遊技盤１１の抜け止めが解除される。以下、この回動操作レバー１２０について詳説する。
【００５７】
回動操作レバー１２０は、図９及び図１０に拡大して示すように、遊技盤１１と平行な平板部１２１のうち、パチンコ遊技機１０の前方を向いた表面から操作摘み１２２を突出して備え、その回動中心には、平板部１２１の表裏両面側に突出した円筒部１２３が備えられている。円筒部１２３のうち平板部１２１の表面側は大径部１２３Ａであり（図９参照）、平板部１２１の裏面側は小径部１２３Ｂとなっている（図１０参照）。
【００５８】
円筒部１２３の内側には、円筒部１２３に対応して大径部１２４Ａと小径部１２４Ｂとを有する円柱体１２４が挿嵌され、その円柱体１２４の芯部を螺子挿通孔１２４Ｃが貫通している。この螺子挿通孔１２４Ｃに大径部１２４Ａ側から雄螺旋１２５（図６参照）が挿入され、その雄螺旋１２５が、遊技盤受容部７７の縁部から遊技盤受容部７７の前面開口に向かって起立した図示しない雌螺旋筒に螺合されている。即ち、回動操作レバー１２０は、内枠７５の前面に直交した雄螺旋１２５を中心にして回動可能となっている。ここで、円柱体１２４のうち小径部１２４Ｂの端面には、回り止め凹部１２４Ｕが形成されており、雌螺旋筒の先端面に突出形成された回り止め突部（図示せず）と凹凸係合している。これにより、円柱体１２４が回転不能に固定され、回動操作レバー１２０が円柱体１２４に対して回動するようになっている。円柱体１２４は、回転不能に固定されているため、回動操作レバー１２０を回動させても、雄螺旋１２５が緩みにくい構成になっている（図６参照）。なお、円柱体１２４は摺動性に優れた樹脂で構成されている。
【００５９】
図９に示すように、平板部１２１は、回動操作レバー１２０の回動中心と同心の円弧状外縁部１２１Ａを有した略半円形状になっている。平板部１２１のうち回動操作レバー１２０をロック位置からアンロック位置へと切り替える際の操作方向（図６（Ａ）における時計回り方向。以下「アンロック操作方向」という）の前端は、円筒部１２３における大径部１２３Ａの外周面からその接線方向に延びて円弧状外縁部１２１Ａと交差した第１直線部１２１Ｂになっている。これに対し、平板部１２１のうち、回動操作レバー１２０をアンロック位置からロック位置へと切り替える際の操作方向（図６（Ｂ）における反時計回り方向。以下、「ロック操作方向」という）の前端は、大径部１２３Ａの外周面から第１直線部１２１Ｂとは逆方向に延びかつ第１直線部１２１Ｂと略平行な第２直線部１２１Ｃになっている。
【００６０】
操作摘み１２２は、平板部１２１の表面から直角に起立した壁形状をなしている。操作摘み１２２は、円筒部１２３（大径部１２３Ａ）の外周面から平板部１２１の径方向外側に向かって延びた第１壁部１２２Ａ及び第２壁部１２２Ｂから構成され、それらは円弧状外縁部１２１Ａの周方向で互いに９０度以上離れて配設されている。
【００６１】
第１壁部１２２Ａは、平板部１２１におけるロック操作方向の前端部分に配設され、第２直線部１２１Ｃと平行に延びている。ここで、回動操作レバー１２０をアンロック位置にすると、図６（Ｂ）及び図８（Ａ）に示すように、回動動作レバー１２０が開放領域Ｒ２から完全に退避して、第１壁部１２２Ａが右取っ手１１２から遠ざかった位置に配置される。このとき、指先係止溝１１２Ａの開放口の側方には、指先係止溝１１２Ａに対して複数本程度の指先を係止させることができるスペースができる。これに対し、回動操作レバー１２０をロック位置にすると、図６（Ａ）及び図７（Ａ）に示すように、回動動作レバー１２０が開放領域Ｒ２に覆い重なって、第１壁部１２２Ａが右取っ手１１２、詳細には、指先係止溝１１２Ａの開放口に隣接配置される。この状態では、第１壁部１２２Ａが指先係止溝１１２Ａへの指先の係止（挿入）を規制するので、指先係止溝１１２Ａの開放口の側方には、指先係止溝１１２Ａに対して指先１本程度を係止（挿入）させることができるスペースしかできない。
【００６２】
図１０に示すように、第１壁部１２２Ａのうち円筒部１２３から離れた先端部は平板部１２１の円弧状外縁部１２１Ａよりも側方に突出している。また、その先端部には、平板部１２１の裏面に対して僅かに突出した押圧突起１２８が形成されている。回動操作レバー１２０をロック位置にした場合、押圧突起１２８が遊技盤１１（盤本体１１Ａ）の前面に押し付けられるようになっている。また、押圧突起１２８のうちロック操作方向の前端部は、回動操作レバー１２０をアンロック位置からロック位置に移動させる際に、押圧突起１２８がスムーズに遊技盤１１に乗り上がるようにテーパ状をなしている。なお、遊技盤受容部７７の囲壁７７Ｈのうち押圧突起１２８が通過する部分は、溝状の切り欠き７７Ｋになっている（図７（Ｂ）参照）。
【００６３】
図９に示すように、第２壁部１２２Ｂは、平板部１２１におけるアンロック操作方向の前端（第１直線部１２１Ｂ）からロック操作方向に所定角度だけシフトした位置に設けられている。第２壁部１２２Ｂは、平板部１２１の表面から突出した矩形壁のうち、円筒部１２３側の角部を斜めに切除した形状になっている。また、第１壁部１２２Ａは、平板部１２１の表面から円筒部１２３と同一高さで突出しているのに対し、第２壁部１２２Ｂは、第１壁部１２２Ａ及び円筒部１２３よりも大きく平板部１２１から突出している。そして、回動操作レバー１２０をアンロック位置にした状態で前面枠９５を閉じる操作を行った場合、前面枠９５に備えた干渉突部９５Ｔ（図３参照）が第２壁部１２２Ｂに突き当たって、前面枠９５と内枠７５との施錠が禁止されるようになっている。
【００６４】
図１０に示すように、平板部１２１のうち、内枠７５側を向いた裏面には回動規制壁１２６（本発明の「回動規制突部」に相当する）が設けられている。回動規制壁１２６は、平板部１２１に対して直角に起立すると共に、円弧状外縁部１２１Ａに沿って延びている。詳細には、平板部１２１におけるアンロック操作方向の前端（第１直線部１２１Ｂ）の近傍位置からロック操作方向に向かって約９０度の範囲に亘って延びている。その回動規制壁１２６におけるロック操作方向の前端部１２６Ａは、回動操作レバー１２０をアンロック位置からロック位置に回動操作したときに遊技盤受容部７７の囲壁７７Ｈと当接して回動操作レバー１２０をロック位置に位置決めする。また、回動規制壁１２６におけるアンロック操作方向の前端部１２６Ｂは、回動操作レバー１２０をロック位置からアンロック位置に回動操作したときに遊技盤受容部７７の囲壁７７Ｈと当接して回動操作レバー１２０をアンロック位置に位置決めする。ここで、遊技盤受容部７７の囲壁７７Ｈは、本発明の「抜止側ストッパ」に相当する。
【００６５】
図６に示すように回動規制壁１２６は、パチンコ遊技機１０の正面側から見た場合に平板部１２１の裏に隠れて視認不可能となっている。また、回動規制壁１２６は、平板部１２１を挟んで操作摘み１２２とは反対側で囲壁７７Ｈに当接するようにしたので、操作摘み１２２を摘んだ指先を、回動操作レバー１２０と囲壁７７Ｈとの間に挟むことを防止することができる。
【００６６】
なお、図１０に示すように、平板部１２１の裏面には、回動規制壁１２６及び平板部１２１を補強するためのリブ壁１２７，１２７が突出形成されている。また、平板部１２１の裏面のうち第１壁部１２２Ａ及び第２壁部１２２Ｂに対応した部分は陥没しており、第１壁部１２２Ａ及び第２壁部１２２Ｂは中空構造になっている。以上が、回動操作レバー１２０に関する説明である。
【００６７】
さて、図５（Ｂ）に示すように、遊技盤１１の前面のうち右取っ手１１２の側方の開放領域Ｒ２には目視ストッパ１４０が敷設されている。詳細には、目視ストッパ１４０は、開放領域Ｒ２のうち、指先係止溝１１２Ａと対向しかつ回動操作レバー１２０と干渉しない位置（回動操作レバー１２０の回動領域の外側）に敷設されている。
【００６８】
目視ストッパ１４０は樹脂部材１１０に一体成形されている。具体的には、樹脂部材１１０のうち、盤本体１１Ａに対して直角な段差壁１１０Ａから片持ち梁状に突出している。目視ストッパ１４０は、段差壁１１０Ａから延びた１対の平行な長辺の先端間を短辺で繋いだ帯板状をなし、長手方向で幅が一定となっている。そして、段差壁１１０Ａから遊技盤１１の右上角部の斜辺（囲壁７７Ｈ）に沿って左斜め上方に向かって延びている。ここで、目視ストッパ１４０と右取っ手１１２とは互いに平行に配置されておりかつ、右取っ手１１２の方が目視ストッパ１４０よりも長く延びている。これによって、回動操作レバー１２０をロック位置からアンロック位置に回動操作したときに、指先係止溝１１２Ａの側方のスペースを増やすことができる。
【００６９】
目視ストッパ１４０と回動操作レバー１２０の操作摘み１２２との間には、ロック位置で操作摘み１２２を摘む場合に、指先が目視ストッパ１４０と干渉することを抑制するために高低差が設けられている。即ち、遊技盤１１の前面からの目視ストッパ１４０の突出量が操作摘み１２２よりも小さくなっており、操作摘み１２２が目視ストッパ１４０よりも約１ｃｍ程度、遊技盤１１の前面側に突出している。また、目視ストッパ１４０は、長手方向において遊技盤１１（盤本体１１Ａ）からの突出量（板厚）が一定となっている。
【００７０】
目視ストッパ１４０の表面のうち、幅方向の中間線より右取っ手１１２から遠い部分は、盤本体１１Ａの前面と平行な平面となっており、中間線より右取っ手１１２に近い部分は盤本体１１Ａの前面に対して傾斜した傾斜面１４１となっている。この傾斜面１４１は、右取っ手１１２（指先係止溝１１２Ａ）に接近するに従って盤本体１１Ａの前面に近づくように傾斜している。即ち、目視ストッパ１４０は、右取っ手１１２（指先係止溝１１２Ａ）に近づくに従って遊技盤１１（盤本体１１Ａ）からの突出量（板厚）が小さくなるように構成されている。これにより、右取っ手１１２の指先係止溝１１２Ａに指先を係止した場合に、指先が目視ストッパ１４０に当接し難くなっている。また、当接した場合には、傾斜面１４１によって指先を指先係止溝１１２Ａの内側に案内するようになっている。
【００７１】
さらに、目視ストッパ１４０は、盤本体１１Ａの前面のうち目視ストッパ１４０の近辺である開放領域Ｒ２の色及び回動操作レバー１２０の色とは明確に異なる色になっている。具体的には、例えば、回動操作レバー１２０が赤系色で、盤本体１１Ａにおける開放領域Ｒ２が白系色である場合、目視ストッパ１４０は黒系色となっている。この色の相違により、目視ストッパ１４０の存在が一目瞭然となっている。
【００７２】
目視ストッパ１４０は、図６（Ｂ）に示すように回動操作レバー１２０がアンロック位置に位置決めされた場合、平板部１２１のうちアンロック操作方向の前端である第１直線部１２１Ｂと目視ストッパ１４０の長辺とが隙間を空けて略平行に配置され、回動操作レバー１２０が仮にアンロック位置を越えて回動したとしても、目視ストッパ１４０が平板部１２１と干渉し得るようになっている。
【００７３】
また、図６（Ａ）に示すように、目視ストッパ１４０は、回動操作レバー１２０がロック位置に位置決めされた場合に、ロック操作方向（反時計回り方向）の前方に隙間を開けて隣接配置される。詳細には、回動操作レバー１２０における第１壁部１２２Ａの壁面に対して側方から目視ストッパ１４０が直角に突き合わされ、回動操作レバー１２０が仮にロック位置を越えて回動したとしても、目視ストッパ１４０が第１壁部１２２Ａと干渉し得るようになっている。
【００７４】
なお、樹脂部材１１０のうち、回動操作レバー１２０の近傍位置には、回動操作レバー１２０のロック操作方向を表す案内表示１１５（矢印及び「ロック」という文字）が設けられている（図７（Ｂ）参照）。
【００７５】
本実施形態のパチンコ遊技機１０の構成は以上であって、次に、本実施形態の作用効果について説明する。遊技盤１１を内枠７５に取り付ける場合は、以下の手順に従って作業を行う。まずは、前面枠９５を開放状態にし、遊技盤受容部７７に遊技盤１１を受け入れる為に、傾動操作レバー１００及び回動操作レバー１２０を共にアンロック位置にする。
【００７６】
次いで、遊技盤１１の左側辺を抜止金具１３０，１３０と後面係止壁７７Ａとの間の隙間に斜め側方から挿入してから、遊技盤１１の左側辺を中心にして遊技盤１１の右側辺を遊技盤受容部７７に近づけるように回動させ、遊技盤１１を遊技盤受容部７７内に押し込む。
【００７７】
遊技盤１１を押し込むと、傾動操作レバー１００が遊技盤１１に押されてアンロック位置からロック位置に移動する。これにより、傾動操作レバー１００と内枠７５の後面係止壁７７Ａとの間に遊技盤１１が板厚方向で挟持される。
【００７８】
次いで、図６（Ｂ）から同図（Ａ）への変化に示すように、アンロック位置の回動操作レバー１２０を回動操作してロック位置にする。即ち、操作摘み１２２を摘んでロック操作方向（反時計回り方向）に回動させる。すると、図７（Ｂ）に示すように回動操作レバー１２０の裏面側で回動規制壁１２６（ロック操作方向の前端部１２６Ａ）が遊技盤受容部７７の囲壁７７Ｈに当接して、回動操作レバー１２０がロック位置に位置決めされる。このとき、回動操作レバー１２０が遊技盤１１の開放領域Ｒ２に覆い重なって（図６（Ａ）参照）、回動操作レバー１２０と内枠７５の後面係止壁７７Ａとの間に遊技盤１１が板厚方向で挟持される。そして、上記した抜止金具１３０，１３０、傾動操作レバー１００及び回動操作レバー１２０により遊技盤１１が遊技盤受容部７７内に抜け止め状態にされる。
【００７９】
遊技盤受容部７７に対する遊技盤１１の抜け止め操作が終了したら、前面枠９５を内枠７５に対して閉じる操作を行って前面枠９５と内枠７５とを施錠する。
【００８０】
ここで、回動操作レバー１２０をアンロック位置にしたまま前面枠９５を閉じる操作を行うと、前面枠９５の干渉突部９５Ｔが回動操作レバー１２０の第２壁部１２２Ｂに突き当たって、前面枠９５と内枠７５とが施錠できなくなる。よって、遊技盤１１の抜け止めが不完全な状態で遊技が行われるという事態を防止することができる。
【００８１】
遊技盤１１を内枠７５（遊技盤受容部７７）から抜き取る場合は、以下の手順に従って作業を行う。まず、図６（Ａ）から同図（Ｂ）への変化に示すように、ロック位置の回動操作レバー１２０を回動操作してアンロック位置にする。即ち、操作摘み１２２を摘んでアンロック操作方向（時計回り方向）に回動させる。すると、回動操作レバー１２０の裏面側で回動規制壁１２６（アンロック操作方向の前端部１２６Ｂ）が遊技盤受容部７７の囲壁７７Ｈに当接して、回動操作レバー１２０がアンロック位置に位置決めされる。アンロック位置になると、回動操作レバー１２０が遊技盤受容部７７の囲壁７７Ｈの外側に退避して、回動操作レバー１２０による遊技盤１１の抜け止めが解除される。
【００８２】
次に、ロック位置の傾動操作レバー１００を手前に倒してアンロック位置にする。このとき、傾動操作レバー１００が、遊技盤１１の右側部を後面から押して遊技盤受容部７７の前方に押し出す。ここで、回動操作レバー１２０がロック位置になっており遊技盤１１の右上角部に係止している状態では、遊技盤１１の右側部を遊技盤受容部７７の前方に押し出すことができないので、傾動操作レバー１００をアンロック位置に切り替えることができない。これにより、回動操作レバー１２０のアンロック位置への切り替えが済んでいない（ロック位置になっている）ことを作業者に気付かせることができる。即ち、回動操作レバー１２０がロック位置であることに気付かず遊技盤１１を抜き取ろうとして、回動操作レバー１２０や遊技盤１１が破損する事態を防止することができる。
【００８３】
傾動操作レバー１００をアンロック位置にしたら、遊技盤１１の左取っ手１１１と右取っ手１１２（指先係止溝１１２Ａ）に両手の指先を掛けて、遊技盤１１を遊技盤受容部７７から抜き取る。即ち、抜止金具１３０，１３０に係止された遊技盤１１の左側部を中心にして遊技盤１１を手前側（遊技盤受容部７７の前方）に回動させ、さらに、遊技盤１１を斜め右側方に水平移動させて、抜止金具１３０，１３０と後面係止壁７７Ａとの間から遊技盤１１の左側辺を抜き取る。これにより、内枠７５から遊技盤１１が離脱する。
【００８４】
ここで、作業手順を間違えて、回動操作レバー１２０をアンロック位置に切り替える前に右取っ手１１２に指先を掛けようとした場合、回動操作レバー１２０の第１壁部１２２Ａによって指先係止溝１１２Ａへの指先の係止が規制される。詳細には、回動操作レバー１２０をアンロック位置にしておけば指先係止溝１１２Ａの開放口の側方には、指先係止溝１１２Ａに対して複数本程度の指先を係止可能なスペースがあるところ、回動操作レバー１２０がロック位置であるために指先係止溝１１２Ａの開放口の側方には、指先係止溝１１２Ａに対して指先１本程度が係止（挿入）可能なスペースしかできない。これにより、回動操作レバー１２０のアンロック位置への切り替えが済んでいない（ロック位置になっている）ことを作業者に気付かせることができる。即ち、回動操作レバー１２０がロック位置であることに気付かず遊技盤１１を抜き取ろうとして、回動操作レバー１２０や遊技盤１１が破損する事態を防止することができる。
【００８５】
ところで、上述した着脱操作において、アンロック位置の回動操作レバー１２０をロック位置に切り替える際には、案内表示１１５に従って回動動作すればよいので、不慣れな作業者でも概ね正しく操作することが可能である。そして、本実施形態のパチンコ遊技機１０は、目視ストッパ１４０を備えているので、ロック位置の回動操作レバー１２０をアンロック位置に切り替える際にも、誤操作を防止することができる。
【００８６】
即ち、回動操作レバー１２０がロック位置に位置決めされたとき、目視ストッパ１４０は回動操作レバー１２０のロック操作方向の前方に隣接位置されている。詳細には、回動操作レバー１２０における第１壁部１２２Ａの壁面に対して側方から目視ストッパ１４０が直角に突き合わされ、回動操作レバー１２０が仮にロック位置を越えて回動しようとしても、目視ストッパ１４０が第１壁部１２２Ａと干渉し得ることがわかるようになっている。従って、ロック位置の回動操作レバー１２０をアンロック位置に切り替える際に、作業者が、目視ストッパ１４０と干渉する方向、即ち、ロック位置の回動操作レバー１２０に対する誤った操作方向に操作することを抑制でき、正しいアンロック操作方向に操作させることが可能になる。
【００８７】
このように、本実施形態のパチンコ遊技機１０によれば、ロック位置に位置する回動操作レバー１２０が、仮に、ロック位置を越えて回動しようとしても、目視ストッパ１４０に干渉してアンロック位置にすることができないという認識を作業者に持たせることができ、ロック位置の回動操作レバー１２０に対する誤操作を防止することができる。これにより、遊技盤１１の抜き取り作業が捗ると共に、回動操作レバー１２０をロック位置に位置決めする囲壁７７Ｈ及び回動操作レバー１２０の破損を防止することができる。
【００８８】
また、上記した目視ストッパ１４０と第１壁部１２２Ａとの位置関係から、ロック位置の回動操作レバー１２０に対する正規の操作方向（アンロック操作方向）を直感的に判断することができるので、操作方向を示した案内表示１１５に基づいて操作するよりも作業が捗る。
【００８９】
また、目視ストッパ１４０は、回動操作レバー１２０の可動範囲の全域で一切、回動操作レバー１２０と干渉しないので、強度、形状精度、寸法精度等の制約を受けずに比較的自由に設計することができる。
【００９０】
また、既存のパチンコ遊技機の遊技盤を、目視ストッパ１４０を備えた本発明に係る遊技盤１１に取り替えることで、同様の効果を奏するパチンコ遊技機１０に変更することができ、既存のパチンコ遊技機の枠体（外枠８２、内枠７５、前面枠９５）を流用（共通使用）することができる。
【００９１】
また、目視ストッパ１４０は、遊技盤１１の前面のうち目視ストッパ１４０が敷設された開放領域Ｒ２の色及び回動操作レバー１２０の色とは異なる色になっているので、目視ストッパ１４０の存在が明瞭となり、回動操作レバー１２０に対する誤操作をより確実に防止することが可能となる。
【００９２】
さらに、ロック位置に位置決めされた状態で、目視ストッパ１４０は、回動操作レバー１２０の表面から突出した操作摘み１２２（第１壁部１２２Ａ）に突き合わされるようにしたから、回動操作レバー１２０が仮にロック位置を越えて回動しようとしても、目視ストッパ１４０が干渉し得るということを、より明瞭に分かり易くすることができる。また、アンロック位置の回動操作レバー１２０をロック位置に切り替える際にも、回動操作レバー１２０が仮にアンロック位置を越えて回動しようとしても第２壁部１２２Ｂが目視ストッパ１４０と干渉し得ることが分かるようになっているから、正しいロック操作方向に操作させることが可能になっている。
【００９３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９４】
（１）上記実施形態では、目視ストッパ１４０を、樹脂部材１１０に一体成形された樹脂製としていたが、樹脂部材１１０とは別体の弾性体や紙で構成してもよい。または、遊技盤１１の盤本体１１Ａを前面側に隆起させて構成してもよい。また、回路基板や発光素子（ＬＥＤ）等の電気素子を目視ストッパとして設けてもよい。
【００９５】
（２）上記実施形態では、目視ストッパ１４０を遊技盤１１に設けていたが、内枠７５に目視ストッパを設けてもよい。
【００９６】
（３）上記実施形態では、目視ストッパ１４０の色を黒系色としていたが、遊技盤１１のうち目視ストッパ１４０の周囲及び回動操作レバー１２０と区別できる色であれば、黒系色に限定するものではない。
【００９７】
（４）上記実施形態では、回動操作レバー１２０のロック操作方向を表す案内表示１１５があったので、アンロック位置の回動操作レバー１２０に対する誤操作は概ね防ぐことができるが、この案内表示１１５の替わり或いは案内表示１１５に加えて、アンロック側目視ストッパ１４５を設けてもよい。アンロック側目視ストッパ１４５は、例えば、図１１に示すように、目視ストッパ１４０の一側辺から遊技盤受容部７７の囲壁７７Ｈの外側に向けて突出させ、回動操作レバー１２０をアンロック位置に位置決めしたときに、回動操作レバー１２０における第２壁部１２２Ｂの壁面に隙間を開けて突き合わされるようにし、仮に、アンロック位置を越えて回動しようとしても、アンロック側目視ストッパ１４５が第２壁部１２２Ｂと干渉し得るように構成しておく。これにより、アンロック位置に位置する回動操作レバー１２０が、仮に、アンロック位置を越えて回動しようとしても、アンロック側目視ストッパ１４５に干渉してロック位置にすることができないという認識を、アンロック側目視ストッパ１４５を設けていない場合よりもより明確に作業者に持たせることができ、アンロック位置の回動操作レバー１２０に対する誤操作を防止することができる。
【００９８】
（５）上記実施形態では、回動操作レバー１２０が遊技盤１１の右上角部に係止するように配置されていたが、遊技盤１１の他の部分に係止するように配置してもよい。例えば、遊技盤１１の左右方向の側辺に係止するように配置してもよいし、傾動操作レバー１００の位置に回動操作レバー１２０を配置して遊技盤１１の下辺右寄り部分に係止するようにしてもよい。
【００９９】
（６）上記実施形態では、回動操作レバー１２０を１つだけ備えていたが、複数備えていてもよい。そして、それらの全てに対して目視ストッパ１４０を設けてもよい。
【０１００】
（７）上記実施形態では、回動操作レバー１２０が内枠７５に備えた囲壁７７Ｈに当接することでロック位置に位置決めされるようにしていたが、遊技盤１１の側面に当接することでロック位置に位置決めされるようにしてもよい。
【０１０１】
（８）上記実施形態では、内枠７５の前面側から遊技盤受容部７７に遊技盤１１を着脱可能とし、内枠７５の前面に備えた回動操作レバー１２０にて遊技盤１１を抜け止めした構成であったが、内枠７５の後面側から遊技盤受容部７７に遊技盤を着脱可能とし、内枠７５の後面に備えた回動操作レバー１２０にて遊技盤１１を抜け止めする構成にしてもよい。この場合には、遊技盤１１の後面に目視ストッパ１４０を設けておけばよい。
【０１０２】
（９）上記実施形態では、傾動操作レバー１００を備えていたが、傾動操作レバー１００は備えていなくてもよい。
【０１０３】
（１０）上記実施形態では、目視ストッパ１４０はその長手方向において、幅及び遊技盤１１からの突出量（板厚）が一定であったが、先端部に向かうに従って幅狭にしたり、先端部に向かうに従って遊技盤１１からの突出量（板厚）が小さくなる（薄肉になる）ようにしてもよい。このようにすれば、指先と目視ストッパ１４０との干渉をさらに起こり難くすることができる。
【０１０４】
（１１）上記実施形態では、指先係止溝１１２Ａに指先を係止して遊技盤１１の抜き取り操作を行っていたが、指先の替わりに図示しないツールを係止して遊技盤１１の抜き取り操作を行ってもよい。
【符号の説明】
【０１０５】
１０    パチンコ遊技機
１１    遊技盤
１１Ａ    盤本体
７５    内枠（本体枠）
７７    遊技盤受容部
７７Ｈ    囲壁（壁部）
９５    前面枠
９５Ｔ    干渉突部
１１０    樹脂部材
１１２    右取っ手（引抜用突部）
１１２Ａ    指先係止溝（側部開口溝）
１２０    回動操作レバー（回動操作部材）
１２１    平板部
１２２    操作摘み
１２６    回動規制壁（回動規制突部）
１４０    目視ストッパ
１４１    傾斜面
【図１】
2011115213.tif 000003
【図２】
2011115213.tif 000004
【図３】
2011115213.tif 000005
【図４】
2011115213.tif 000006
【図５】
2011115213.tif 000007
【図６】
2011115213.tif 000008
【図７】
2011115213.tif 000009
【図８】
2011115213.tif 000010
【図９】
2011115213.tif 000011
【図１０】
2011115213.tif 000012
【図１１】
2011115213.tif 000013